(57)【要約】本発明は、瘻孔を清掃するためのキットであって、容器と、複数の瘻孔清掃用アクセサリと、第１の外部アクセス面とを備えるキットを提供する。容器は、複数の外面を有し、容器内に個別の区画を画定するための複数の仕切りを収容する。複数の外面は、キットのユーザの個別の区画へのアクセスを可能にする開口部を画定する。個別の区画の各々は、複数の瘻孔清掃用アクセサリのうちの少なくとも１つを収容するように構成される。第１の外部アクセス面は、個別の区画へのアクセスを選択的に可能にするように、複数の外面のうちの少なくとも１つと共に使用可能である。外面または第１の外部アクセス面のうちの少なくとも１つは、複数の瘻孔清掃用アクセサリの各々を瘻孔の清掃に使用する順序を示すインストラクション及び表示を含む。したがって、複数の瘻孔清掃用アクセサリの各々は、瘻孔を清掃するために順々に使用される。【選択図】図４
2021534892.tif 000002
【特許請求の範囲】
【請求項１】
瘻孔を清掃するためのキットであって、
複数の外面を有する容器であって、前記容器内に個別の区画を画定するための複数の仕切りを収容し、前記複数の外面は、前記キットのユーザの前記個別の区画へのアクセスを可能にする開口部を画定する、該容器と、
複数の瘻孔清掃用アクセサリと、
前記個別の区画へのアクセスを選択的に可能にするように、前記複数の外面のうちの少なくとも１つと共に使用可能な第１の外部アクセス面と、を備え、
前記個別の区画の各々は、前記複数の瘻孔清掃用アクセサリのうちの少なくとも１つを収容するように構成され、
前記外面または前記第１の外部アクセス面のうちの少なくとも１つは、前記複数の瘻孔清掃用アクセサリの各々を前記瘻孔の清掃に使用する順序を示すインストラクション及び表示を含み、
前記複数の瘻孔清掃用アクセサリの各々は、前記瘻孔を清掃するために順々に使用されることを特徴とするキット。
【請求項２】
請求項１に記載のキットであって、
前記第１の外部アクセス面は、第１のヒンジ付き蓋を含むことを特徴とするキット。
【請求項３】
請求項２に記載のキットであって、
前記第１のヒンジ付き蓋は、その外側面に設けられたポーチを有し、
前記ポーチは、前記複数の瘻孔清掃用アクセサリのうちの少なくとも１つを収容するように構成されたキャビティを画定することを特徴とするキット。
【請求項４】
請求項３に記載のキットであって、
前記ポーチの前記キャビティは、少なくとも１つのドレープを収容するように構成されることを特徴とするキット。
【請求項５】
請求項２〜４のいずれかに記載のキットであって、
前記第１のヒンジ付き蓋は、その内側面に結合された複数の蓋仕切りを有し、
前記複数の蓋仕切りは、前記複数の瘻孔清掃用アクセサリのうちの少なくとも１つを収容するように構成された少なくとも１つの蓋区画を画定することを特徴とするキット。
【請求項６】
請求項１〜５のいずれかに記載のキットであって、
前記個別の区画へのアクセスを選択的に可能にするように、前記外面または前記第１の外部アクセス面のうちの少なくとも１つと共に使用可能な第２の外部アクセス面をさらに備えることを特徴とするキット。
【請求項７】
請求項６に記載のキットであって、
前記第２の外部アクセス面は、第２のヒンジ付き蓋を含み、
前記第２のヒンジ付き蓋は、前記個別の区画へのアクセスを選択的に可能にするために、前記外面または前記第１の外部アクセス面のうちの少なくとも１つと共に使用可能であることを特徴とするキット。
【請求項８】
請求項１〜７のいずれかに記載のキットであって、
前記外面及び前記第１の外部アクセス面の各々は、前記容器の内容物が外部から見えないようにするために光不透過性を有することを特徴とするキット。
【請求項９】
請求項１〜８のいずれかに記載のキットであって、
前記外面及び前記第１の外部アクセス面の各々は、前記キットの目的が分からないようにするためにファッショナブルなデザインを有することを特徴とするキット。
【請求項１０】
請求項１〜９のいずれかに記載のキットであって、
前記個別の区画の各々は、前記個別の区画の各々に対応する前記瘻孔清掃用アクセサリを使用して前記瘻孔を清掃する順序で、順々に印が付けられていることを特徴とするキット。
【請求項１１】
請求項１０に記載のキットであって、
順々に印が付けられた前記個別の区画のうちの少なくとも１つは、英数字記号または色コード記号のうちの少なくとも１つを含むマークを有することを特徴とするキット。
【請求項１２】
請求項１〜１１のいずれかに記載のキットであって、
前記外面または前記第１の外部アクセス面のうちの少なくとも１つは、前記複数の瘻孔清掃用アクセサリのうちの少なくとも１つの使用が成功したことをユーザがマークできるようにするためにコンプライアンスチェック手段を含むことを特徴とするキット。
【請求項１３】
請求項１２に記載のキットであって、
前記コンプライアンスチェック手段は、前記複数の瘻孔清掃用アクセサリのうちの少なくとも１つの使用が成功したことをユーザがマークするための複数のシールまたは穿孔パンチのうちの少なくとも１つを含むことを特徴とするキット。
【請求項１４】
請求項１〜１３のいずれかに記載のキットであって、
前記複数の瘻孔清掃用アクセサリのうちの少なくとも１つは、１以上の手袋、ドレープ、清浄液、前記１以上の清浄液と共に使用可能なワイプ、スワブ、瘻孔パッド、または、トラベルパックを含むことを特徴とするキット。
【請求項１５】
請求項４または１４に記載のキットであって、
前記ドレープは、前記複数の瘻孔清掃用アクセサリの各々を前記瘻孔の清掃に使用する順序を示すインストラクション及び表示を含むことを特徴とするキット。
【請求項１６】
瘻孔を清掃するためのキットであって、
複数の外面を有する容器であって、前記容器内に個別の区画を画定するための複数の仕切りを収容し、前記複数の外面は、前記キットのユーザが前記個別の区画にアクセスできるように開口部を画定する、該容器と、
複数の瘻孔清掃用アクセサリと、
前記個別の区画へのアクセスを選択的に可能にするように、前記複数の外面のうちの少なくとも１つの外面と共に使用可能な第１のヒンジ付き蓋と、
前記個別の区画へのアクセスを選択的に可能にするために、前記外面または前記第１のヒンジ付き蓋のうちの少なくとも１つと共に使用可能な第２のヒンジ付き蓋と、を備え、
前記個別の区画の各々は、前記複数の瘻孔清掃用アクセサリのうちの少なくとも１つを収容するように構成され、
前記第１のヒンジ付き蓋は、その外側面に設けられたポーチを有し、前記ポーチは、前記複数の瘻孔清掃用アクセサリのうちの少なくとも１つを収容するように構成されたキャビティを画定し、
前記第１のヒンジ付き蓋は、その内側面に結合された複数の蓋仕切りを有し、前記複数の蓋仕切りは、前記複数の瘻孔清掃用アクセサリのうちの少なくとも１つを収容するように構成された少なくとも１つの蓋区画を画定し、
前記複数の瘻孔清掃用アクセサリの各々は、前記瘻孔を清掃するために順々に使用されることを特徴とするキット。
【請求項１７】
請求項１６に記載のキットであって、
前記外面、前記第１のヒンジ付き蓋、または前記第２のヒンジ付き蓋のうちの少なくとも１つは、前記複数の瘻孔清掃用アクセサリの各々を前記瘻孔の清掃に使用する順序を示す説明及び表示を含むことを特徴とするキット。
【請求項１８】
請求項１６または１７に記載のキットであって、
前記外面、前記第１のヒンジ付き蓋、または前記第２のヒンジ付き蓋のうちの少なくとも１つは、前記複数の瘻孔清掃用アクセサリのうちの少なくとも１つの使用が成功したことをユーザがマークできるようにするためにコンプライアンスチェック手段を含むことを特徴とするキット。
【請求項１９】
瘻孔清掃用アクセサリを収容するように各々構成された複数の個別の区画を画定するキットを使用して瘻孔を清掃する方法であって、
第１の区画から手袋を取り出し、前記手袋をユーザの手に装着するステップと、
第２の区画からドレープを取り出し、前記ドレープを作業面として配置するステップと、
第３の区画から清浄液を取り出し、前記清浄液を前記瘻孔及び／または前記瘻孔の周囲の患者の皮膚領域に塗布するステップと、
第４の区画からワイプを取り出し、前記ワイプ及び前記清浄液を使用して、前記瘻孔及び／または前記瘻孔の周囲の患者の皮膚領域を清掃及び／または乾燥させるステップと、
第５の区画からスワブを取り出し、前記スワブを使用して、前記瘻孔及び／または前記瘻孔の周囲の患者の皮膚領域を清掃及び／または乾燥させるステップと、
第６の区画から瘻孔パッドを取り出し、前記瘻孔パッドを、前記瘻孔と共に使用可能な医療機器に適用するステップと、を含むことを特徴とする方法。
【請求項２０】
請求項１９に記載の方法であって、
前記各ステップのうちの少なくとも１つのステップが完了したことを、コンプライアンスチェック手段にマークするステップをさらに含むことを特徴とする方法。
【発明の詳細な説明】
【技術分野】
【０００１】
（技術分野）
本発明は、経腸栄養装置と関連して使用される瘻孔清掃用キットに関する。より詳細には、本発明は、瘻孔を清掃するための再使用可能な清掃用キットディスペンサに関する。
【背景技術】
【０００２】
所望の医療目的を達成するために、人体の内部に人工瘻孔を介してカテーテルを挿管することを必要とする様々な状況が存在する。比較的一般的な状況は、滞留液を排出する場合と、胃や腸に栄養溶液や薬剤を直接投与する場合である。これらの状況では、瘻孔を経皮的に形成し、形成した瘻孔を通じて留置器具が挿管される。例として、胃壁または腸壁と皮膚の外面との間に延在する外科的開口部（瘻孔）、及び／または、瘻孔を形成する手術は、一般的に、胃瘻／胃瘻造設術、空腸瘻／空腸瘻造設術、回腸瘻／回腸瘻造設術、及び／または、結腸瘻／結腸瘻造設術と呼ばれている。瘻孔を貫通して配置されたカテーテル、例えば栄養チューブを備えた医療機器は、カテーテル（栄養チューブ）を通じて栄養溶液を注入して、胃または腸へ栄養物を直接的に供給することを可能にする（経腸栄養法として知られている）。経腸栄養を目的とした様々な医療機器が長年にわたって開発されてきており、そのようなものとしては、従来型すなわち非薄型の構造を有するものだけではなく、患者の皮膚上に載置される部分が「薄型」の構造を有するものが挙げられる。このような経皮送達デバイスは、しばしば、「胃瘻チューブ」、「経皮胃瘻チューブ」、「ＰＥＧチューブ」、または「経腸栄養チューブ」と呼ばれる。栄養チューブとも呼ばれるこれらの経皮送達デバイスは、患者の皮膚の表面に当接して支持される外部ボルスタと、経皮送達デバイスを瘻孔部位で適所に保持するために胃壁に当接して支持される内部ボルスタまたはバルーンとを含む。
【０００３】
瘻孔及びそれに関連する栄養チューブの使用に関する問題点の１つは、適切な手入れ及び清掃（クリーニング）である。多くの場合、瘻孔の健康を促進し、感染症を防止、皮膚の発赤を防止し、瘻孔全体の痛みを防止するためには、瘻孔を毎日清掃することが重要である。さらに、患者及び介護者は、一般的に、独立した供給源から供給される瘻孔清掃用品を組み立てることを要求される。加えて、介護者は、そのような独立した供給源から供給される瘻孔清掃用品を使用して瘻孔を適切に清掃する方法を理解するのが困難であると感じることがある。
【０００４】
したがって、徹底的な清掃を促進すると共に、清掃手順の複雑さを低減した、瘻孔を清掃するための装置及びそれに関連する方法があれば、当分野で歓迎されるであろう。
【発明の概要】
【課題を解決するための手段】
【０００５】
本発明の態様及び利点は、その一部が以下の説明に記載されており、あるいは以下の説明から明らかであり、あるいは本発明の実施により学ぶことができるであろう。
【０００６】
特定の実施形態では、本発明は、瘻孔を清掃するためのキットに関する。本発明のキットは、容器と、複数の瘻孔清掃用アクセサリと、第１の外部アクセス面とを備える。容器は、複数の外面を有し、容器内に個別の区画を画定するための複数の仕切りを収容する。複数の外面は、キットのユーザの個別の区画へのアクセスを可能にする開口部を画定する。さらに、個別の区画の各々は、複数の瘻孔清掃用アクセサリのうちの少なくとも１つを収容するように構成される。第１の外部アクセス面は、個別の区画へのアクセスを選択的に可能にするように、複数の外面のうちの少なくとも１つと共に使用可能である。加えて、外面または第１の外部アクセス面のうちの少なくとも１つは、複数の瘻孔清掃用アクセサリの各々を瘻孔の清掃に使用する順序を示すインストラクション及び表示を含む。したがって、複数の瘻孔清掃用アクセサリの各々は、瘻孔を清掃するために順々に使用される。
【０００７】
一実施形態では、第１の外部アクセス面は、第１のヒンジ付き蓋を含む。特定の実施形態では、第１のヒンジ付き蓋は、その外側面に設けられたポーチを有する。ポーチは、複数の瘻孔清掃用アクセサリのうちの少なくとも１つを収容するように構成されたキャビティを画定する。例えば、ポーチのキャビティは、少なくとも１つのドレープを収容するように構成される。別の実施形態では、第１のヒンジ付き蓋は、その内側面に結合された複数の蓋仕切りを有する。このような実施形態では、複数の蓋仕切りは、複数の瘻孔清掃用アクセサリのうちの少なくとも１つを収容するように構成された少なくとも１つの蓋区画を画定する。
【０００８】
さらなる実施形態では、本発明のキットは、個別の区画へのアクセスを選択的に可能にするように、外面または第１の外部アクセス面のうちの少なくとも１つと共に使用可能な第２の外部アクセス面をさらに備える。例えば、一実施形態では、第２の外部アクセス面は、第２のヒンジ付き蓋を含む。第２のヒンジ付き蓋は、個別の区画へのアクセスを選択的に可能にするために、外面または第１の外部アクセス面のうちの少なくとも１つと共に使用可能である。
【０００９】
別の実施形態では、外面及び第１の外部アクセス面の各々は、容器の内容物が外部から見えないようにするために光不透過性を有する。特定の一実施形態では、第２の外部アクセス面も光不透過性を有する。別の実施形態では、外面及び第１の外部アクセス面の各々は、キットの目的が分からないようにするためにファッショナブルなデザインを有する。さらなる実施形態では、個別の区画の各々は、個別の区画の各々に対応する瘻孔清掃用アクセサリを使用して瘻孔を清掃する順序で、順々に印が付けられている。このような実施形態では、順々に印が付けられた個別の区画のうちの少なくとも１つは、英数字記号または色コード記号のうちの少なくとも１つを含むマークを有する。別の実施形態では、外面または第１の外部アクセス面のうちの少なくとも１つは、複数の瘻孔清掃用アクセサリのうちの少なくとも１つの使用が成功したことをユーザがマークできるようにするためにコンプライアンスチェック手段を含む。例えば、ユーザは、複数の瘻孔清掃用アクセサリの各々の使用が成功したことをマークする。この場合、コンプライアンスチェック手段は、複数の瘻孔清掃用アクセサリのうちの少なくとも１つの使用が成功したことをユーザがマークするための複数のシールまたは穿孔パンチのうちの少なくとも１つを含む。
【００１０】
本発明のキットのさらなる実施形態では、複数の瘻孔清掃用アクセサリの各々は、各瘻孔清掃用アクセサリの規定された供給、例えば少なくとも３０日間の供給を含む。一実施形態では、複数の瘻孔清掃用アクセサリのうちの少なくとも１つは、１以上の手袋、ドレープ、清浄液、１以上の清浄液と共に使用可能なワイプ、スワブ、瘻孔パッド、または、トラベルパックを含む。特定の実施形態では、ドレープは、複数の瘻孔清掃用アクセサリの各々を瘻孔の清掃に使用する順序を示すインストラクション及び表示を含む。本発明のキットは、本明細書に記載された任意の追加の特徴またはそれらの任意の組み合わせをさらに含み得ることを理解されたい。
【００１１】
別の実施形態では、本発明は、瘻孔清掃用アクセサリを収容するように各々構成された複数の個別の区画を画定するキットを使用して瘻孔を清掃する方法に関する。本発明は、第１の区画から手袋を取り出し、手袋をユーザの手に装着するステップを含む。本発明は、第２の区画からドレープを取り出し、ドレープを作業面として配置するステップをさらに含む。本発明は、第３の区画から清浄液を取り出し、清浄液を瘻孔及び／または瘻孔の周囲の患者の皮膚領域に塗布するステップをさらに含む。本発明は、第４の区画からワイプを取り出し、ワイプ及び清浄液を使用して、瘻孔及び／または瘻孔の周囲の患者の皮膚領域を清掃及び／または乾燥させるステップをさらに含む。本発明は、第５の区画からスワブを取り出し、スワブを使用して、瘻孔及び／または瘻孔の周囲の患者の皮膚領域を清掃及び／または乾燥させるステップをさらに含む。本発明は、第６の区画から瘻孔パッドを取り出し、瘻孔パッドを、瘻孔と共に使用可能な医療機器に適用するステップをさらに含む。
【００１２】
一実施形態では、本発明は、本発明の各ステップのうちの少なくとも１つのステップが完了したことを、コンプライアンスチェック手段にマークするステップをさらに含む。本方法は、本明細書に記載された任意の追加の特徴をさらに含み得ることを理解されたい。
【００１３】
本発明の上記及び他の特徴、態様及び利点は、以下の説明及び添付された特許請求の範囲を参照することにより、より良く理解できるであろう。添付図面は、本明細書に組み込まれてその一部を構成し、本発明の実施形態を図示し、本明細書と共に本発明の原理を説明する役割を果たす。
【図面の簡単な説明】
【００１４】
当業者を対象にした本発明の完全かつ実現可能な開示（ベストモードを含む）が、添付図面を参照して、本明細書に説明される。
【００１５】
【図１】図１は、本発明の瘻孔清掃用キットと共に使用可能な栄養チューブの概略斜視図である。
【図２】図２は、本開示の一態様に係る、瘻孔清掃用キットの一実施形態を示し、特に、キットの容器及び第１の外部アクセス面を示す。
【図３】図３は、キットが閉位置にあるときの別の実施形態を示し、特に、第１の外部アクセス面及び第２の外部アクセス面がキットの開口部を塞ぐために閉じられた状態のキットを示す。
【図４】図４は、容器が複数の瘻孔清掃用アクセサリを収容した状態のキットの別の実施形態を示し、特に、個別の区画が、複数の瘻孔清掃用アクセサリのうちの少なくとも１つを収容するように構成されたキットを示す。
【図５】図５は、本開示の一態様に係る、瘻孔を清掃する方法の一実施形態を示し、特に、瘻孔清掃用アクセサリを収容するように各々構成された複数の個別のコンパートメントを画定するキットを使用する方法を示す。
【００１６】
本明細書及び図面において繰り返し用いられる参照符号は、本発明の同一または類似の特徴または要素を表すことを意図している。
【発明を実施するための形態】
【００１７】
以下、本発明の様々な実施形態及びその１以上の実施例について詳細に説明する。各実施例は、本発明を説明するために提示されたものであり、本発明を限定するものではない。実際、本発明において、本発明の範囲及び趣旨から逸脱することなく、本発明の様々な変更形態及び変形形態が可能であることは、当業者にとって明らかであろう。例えば、ある実施形態の一部として例示または説明された特徴を、別の実施形態と共に用いて、さらなる別の実施形態を創出することもできる。したがって、本発明は、添付された特許請求の範囲及びその均等物の範囲に含まれる限り、そのような変更形態及び変形形態を包含することを意図している。
【００１８】
概して言えば、本発明は、瘻孔を清掃するためのキット、及びそのキットを使用して瘻孔を清掃する方法に関する。本発明のキットは、瘻孔清掃用アクセサリのための個別の区画（separate compartments）と、瘻孔清掃用アクセサリを順々に使用するためのインストラクション（instructions）とを含み、より徹底的なかつ一貫した瘻孔清掃を可能にする。例えば、別途に購入した瘻孔清掃用アクセサリが、該アクセサリの使用方法を適切に説明したインストラクションを含んでいない場合や、そもそも瘻孔の清掃を目的としていない場合がある。個別の区画は、瘻孔清掃用アクセサリの意図されている使用順に（例えば、標識によって）順々に印が付けられ、これにより、瘻孔を特定の順序及び流れで清掃することが可能となる。したがって、本発明のキットは、瘻孔の清掃が適切な手順で行われることを確実にするのに役立つ。さらに、本発明のキットは、ユーザ及び／または患者が、瘻孔の清掃に使用するための適切な医療用品を購入するのにも役立つ。本発明のキットはまた、瘻孔清掃用アクセサリを保管するためのプライベートな場所を提供する。本発明のキットの特定の実施形態では、コンプライアンスチェック手段（compliance check-off functionality structure）によって、ユーザ及び／または患者は、毎日の瘻孔清掃が行われことを確認することができ、また、そのような瘻孔清掃の記録を提供することができる。
【００１９】
次に図１を参照すると、瘻孔及び／または本発明の瘻孔清掃用キットと共に使用可能な栄養チューブ５０の概略斜視図が示されている。なお、他の構成を有する他の栄養チューブも、本開示の瘻孔清掃用キットと共に使用され得ることを理解されたい。さらに、別の実施形態では、本発明の瘻孔清掃用キットは、他の医療器具及び該器具と共に使用可能な瘻孔と共に使用され得る。
【００２０】
栄養チューブ５０は、外部端部５２と、内部端部５４と、外部端部５２及び内部端部５４間に延在するチューブ５６とを含む。チューブ５６は、１以上のポート７２を介して患者に食物、薬剤、またはその両方を送達するためのルーメン６８を有する。外部端部５２は、患者の皮膚の表面に隣接して配置される外部ボルスタ５８を含む。一方、内部端部５４は、患者の胃壁に隣接して配置される保持バルーン７０を含む。外部ボルスタ５８及び保持バルーン７０は、瘻孔部位に形成された管路内で、栄養チューブ５０を適所に保持する。外部ボルスタ５８は、上面７６及び下面７８を有する基部７４を含む。チューブ５６を受けるために、スリーブ６２が上面７６に対して位置決めされる。基部７４は、チューブ５６を通すことができるボアまたは開口部６６を有する。ボアまたは開口部６６を通過したチューブ５６は、腹壁及び胃壁を貫通して患者の胃に導入される。基部７４はまた、その上面７６から下面７８まで延在する空気孔６４を有する。空気孔６４は、瘻孔部位の周囲の空気の流れを促進する。必須ではないが、外部ボルスタ５８は、基部７４の下面７８から延出する複数の脚部６０を有する。脚部６０は、基部７４が瘻孔部位に接触することを防止し、患者の皮膚の表面と外部ボルスタ５８との間の接触量を最小限に抑え、これにより、瘻孔部位の通気が改善される。特定の状況では、瘻孔部位から体液が漏出することがあり、その場合は一般的に、皮膚感染症や瘻孔の健康状態の悪化が生じる恐れがある。このため、本発明の瘻孔清掃用キットは、所望に応じて、栄養チューブ５０自体だけでなく、瘻孔部位からの体液の漏出の清掃にも使用され得る。
【００２１】
次に図２を参照すると、本開示の一態様に係る、瘻孔を清掃するためのキット８０の一実施形態が示されている。とりわけ、図２は、キット８０の容器８２及び第１の外部アクセス面８４を示す。キット８０は、容器８２と、複数の瘻孔清掃用アクセサリ８６（例えば図４参照）と、第１の外部アクセス面８４とを含む。容器８２は、複数の外面８８を有する。複数の外面８８は、ボックスを形成する。例えば、複数の外面８８は、底部９０及び１以上の側部９２を画定する。特定の実施形態では、ボックスは、長方形または正方形であり得る。さらなる実施形態では、容器８２は、複数の外面８８によって画定される任意の形状を有し得る。例えば、容器８２は、三角形、円形、または他の形状、例えば１以上の直線、曲線、弧状、線形若しくは非線形の外面８８の組み合わせ、を有し得る。さらに、容器８２は、より少ない数またはより多い数の外面８８、例えば、３つ以下または５つ以上の外面８８を有し得る。
【００２２】
複数の外面８８は、キット８０のユーザが容器８２の内部にアクセスできるように、例えば、個別の区画１００にアクセスできるように、開口部９４を画定する。例えば、容器８２の頂部９６は、固定された外面８８を含まない。図示の実施形態では、頂部９６からのアクセスを可能にするために、開口部９４は、容器８２の頂部９６に設けられる。さらなる実施形態では、開口部９４は、容器８２の任意の位置、例えば、１以上の側部９２及び／または底部９０に設けてもよいことを理解されたい。
【００２３】
容器８２は、容器８２内に個別の区画１００を画定する複数の仕切り９８を収容する。例えば、１以上の直線状の仕切り９８が、容器８２の或る外面８８と、その反対側の外面８８との間に延在する。一実施形態では、単一の仕切り９８が、容器８２の全長Ｌにわたって延在する。別の実施形態では、複数の仕切り９８が、その端部同士を結合させて、容器８２の全長Ｌにわたって延在する。さらに別の実施形態では、少なくとも１つ仕切り９８が、容器８２の全長Ｌに部分的に沿って延在する。特定の実施形態では、１以上の仕切り９８は、容器８２の全長Ｌにわたって該仕切り９８に対して別の仕切り９８を略直交して配置することができるように、ノッチを含む。例えば、仕切り９８は、容器８２の全幅Ｗに少なくとも部分的に沿って延在する。一実施形態では、１以上の仕切り９８が、容器８２の全幅Ｗに沿って延在する。仕切り９８の各々は、少なくとも別の仕切り９８または外面８８に結合させてもよい。特定の実施形態では、容器８２の全長Ｌに沿ってまたは全長Ｌに部分的に沿って延在する仕切り９８と、容器８２の全幅Ｗに沿ってまたは全幅Ｗに部分的に沿って延在する仕切り９８とにより、個別の区画１００のグリッドが画定される。
【００２４】
仕切り９８は、接着剤、テープ、溶接、及び／または機械的締結具（例えば、ボルト、ネジ、リベット）などの任意の適切な手段を用いて、他の仕切り９８及び／または外面８８に結合させることができることを理解されたい。特定の一実施形態では、仕切り９８は、少なくとも１つの他の仕切り９８または外面８８と共に使用可能なタブノッチ型インターフェースを用いて結合させてもよい。さらに、外面８８を、任意の適切な手段を用いて互いに結合させてもよい。１以上の外面８８または仕切り９８を、互いに一体的に形成してもよいことを理解されたい。例えば、外面８８及び／または仕切り９８を、ジョイント部１０２で曲げることによって、単独の材料から形成された単一の構成要素（例えば、第１の外面８８、第２の外面８８、第１の仕切り９８、第２の仕切り９８）の別々の部分を画定してもよい。特定の実施形態では、複数の仕切り９８を互いに組み合わせることによって、１以上の個別の区画１００を形成してもよい。このような実施形態では、個別の区画１００は、その後、少なくとも１つの外面８８、例えば底部９０及び／または１以上の側部９２に結合させてもよい。例えば、仕切り９８によって形成された個別の区画１００は、少なくとも１つの外面８８に接着させてもよい。
【００２５】
特定の実施形態では、１以上の仕切り９８は、非線形形状を画定する。例えば、１以上の仕切り９８は、曲線状または円弧状であるか、または任意の次数の任意の多項式により定義される。特定の実施形態では、１以上の仕切り９８は、区画１００の２以上の面の間にジョイント部１０２を画定することができる。複数の仕切り９８は、任意の所望の形状を形成するように組み合わされることを理解されたい。例えば、複数の仕切り９８は、それに関連する瘻孔清掃用アクセサリ８６（例えば図４参照）に対応する形状を有する区画１００を形成するように配置される。さらに、キット８０は、必要に応じてまたは所望に応じて、瘻孔清掃用アクセサリ８６を収容するために、より多い数またはより少ない数の個別の区画１００を画定することができる。
【００２６】
外面８８、第１の外部アクセス面８４、及び／または仕切り９８は、任意の適切な材料または材料の組み合わせから形成することができることを理解されたい。さらに、外面８８、第１の外部アクセス面８４、及び／または仕切り９８の或る部分を或る材料から形成し、外面８８、第１の外部アクセス面８４、及び／または仕切り９８の別の部分を別の材料から形成してもよい。そのような材料としては、これに限定しないが、ボール紙、木材、プラスチック、ポリマー、複合材料、金属、またはそれらの任意の組み合わせが挙げられる。
【００２７】
さらに、個別の区画１００の各々は、図４を参照して以下でより詳細に説明するように、複数の瘻孔清掃用アクセサリ８６のうちの少なくとも１つを収容するように構成される。このように、複数の瘻孔清掃用アクセサリ８６の各々は、図４及び図５を参照して後述するように、瘻孔を清掃するために順々に使用される。より詳細には、キット８０は、インストラクション１４０と、瘻孔及び／または医療機器を清掃するために各瘻孔清掃用アクセサリ８６を使用する順序及び流れを示す標識１４４（例えば、英数字記号、色コード記号）とを含む。
【００２８】
第１の外部アクセス面８４は、第１の外部アクセス面８４により個別の区画１００へのアクセスを選択的に可能にするように、少なくとも１つの外面８８と共に使用可能である。例えば、第１の外部アクセス面８４は、容器８２の内部へのアクセスを提供するために、容器８２の開口部９４を選択的に開閉することができる。一実施形態では、第１の外部アクセス面８４は、１以上の外面８８に取り付けられるように構成された分離可能な蓋であり得る。例えば、分離可能な蓋（第１の外部アクセス面８４）は、タブノッチ型インターフェースを使用して、１以上の外面８８に取り付けられる。別の実施形態では、第１の外部アクセス面８４は、任意の他の適切な手段を用いて、１以上の外面８８に取り付けられる。例えば、分離可能な蓋（第１の外部アクセス面８４）は、タブノッチ型インターフェース、オスメス型インターフェース、タイ、フックアンドループ型ファスナ、または他の手段を用いて、１以上の外面８８に取り付けられる。一実施形態では、第１の外部アクセス面８４の重量により、第１の外部アクセス面８４の少なくとも１つの外面８８への固定が維持され、その結果、容器８２が閉じられる。
【００２９】
一実施形態では、第１の外部アクセス面８４は、第１のヒンジ付き蓋１０４を含む。例えば、第１のヒンジ付き蓋１０４は、１以上の外面８８及び／または仕切り９８に、枢着部１０６で取り付けられる。例えば、枢着部１０６は、容器８２の全長Ｌまたは全幅Ｗに沿って延在する。図示のように、枢着部１０６は、容器８２の底部９０に設けられる。したがって、第１のヒンジ付き蓋１０４はまた、容器８２の側部９２の少なくとも１つを画定する。別の実施形態では、第１のヒンジ付き蓋１０４は、容器８２の頂部９６に取り付けられる。さらに、第１のヒンジ付き蓋１０４は、第１のヒンジ付き蓋１０４を固定するために使用される１以上のウイング部１０８を含み得る。したがって、ウイング部１０８は、側部９２を画定する１以上の外面８８と共に使用可能である。例えば、ウイング部１０８は、図示した実施形態の場合のように、全幅Ｗに沿って第１のヒンジ付き蓋１０４が閉位置にあるときに、枢着部１０６の軸に沿った第１のヒンジ付き蓋１０４の変位を低減させることができる。
【００３０】
一実施形態では、第１のヒンジ付き蓋１０４は、第１のヒンジ付き蓋１０４の内側面１１２に結合された複数の蓋仕切り１１０を含む。このような実施形態では、複数の蓋仕切り１１０は、図４を参照して以下でより詳細に説明するように、複数の瘻孔清掃用アクセサリ８６のうちの少なくとも１つを収容するように構成された少なくとも１つの蓋区画１１４を画定する。このような実施形態では、容器８２は、蓋区画１１４を収容するように構成されたポケット１１７を画定する。例えば、第１のヒンジ付き蓋１０４が閉位置にあるときに蓋区画１１４が配置される空間を画定するポケット１１７は、複数の仕切り９８により形成される。このように、ポケット１１７は、蓋区画１１４、個別の区画１００、及び／または瘻孔清掃用アクセサリ８６が互いに干渉することなく容器８２を閉じることを可能にする。
【００３１】
特定の実施形態では、第１のヒンジ付き蓋１０４は、その外側面１１８にポーチ１１６を有する。ポーチ１１６は、第１のヒンジ付き蓋１０４の外側面１１８に結合される。あるいは、別の実施形態では、ポーチ１１６は、第１のヒンジ付き蓋１０４の外側面１１８と一体的に形成される。ポーチ１１６は、少なくとも１つの瘻孔清掃用アクセサリ８６を収容するように構成されたキャビティを画定する。なお、別の実施形態では、ポーチ１１６は、第１のヒンジ付き蓋１０４の内側面１１２に結合させてもよいことを理解されたい。
【００３２】
さらなる実施形態では、キット８０は、外面８８または第１の外部アクセス面８４のうちの少なくとも一方と共に使用可能な第２の外部アクセス面１２０をさらに含み、第２の外部アクセス面１２０は、個別の区画１００へのアクセスを選択的に可能にする。例えば、第２の外部アクセス面１２０は、開口部９４を介した個別の区画１００の内部へのアクセスを、少なくとも部分的には選択的に可能にする。一実施形態では、第２の外部アクセス面１２０は、第２のヒンジ付き蓋１２２を含む。図示のように、第２のヒンジ付き蓋１２２は、枢着部１０６において、１以上の外面８８及び／または仕切り９８に取り付けられる。図示のように、枢着部１０６は、容器８２の頂部９６に設けられる。別の実施形態では、第２のヒンジ付き蓋１２２は、実質的に、第１のヒンジ付き蓋１０４と同様に構成してもよいことを理解されたい。例えば、第２のヒンジ付き蓋１２２は、容器８２の底部９０に結合され、蓋区画１１４を画定する蓋仕切り１１０を有し、内側面１１２及び／または外側面１１８に配置されたポーチ１１６を有し、及び／または、１以上のウイング部１０８を有する。
【００３３】
第２のヒンジ付き蓋１２２は、個別の区画１００へのアクセスを選択的に可能にするために、外面８８または第１の外部アクセス面８４のうちの少なくとも一方と共に使用可能である。例えば、第２のヒンジ付き蓋１２２は、個別の区画１００へのアクセスを可能にするために、少なくとも第１のヒンジ付き蓋１０４と共に使用可能である。図示の実施形態では、第２のヒンジ付き蓋１２２は、第１のヒンジ付き蓋１０４よりも先に閉じられる。したがって、第１のヒンジ付き蓋１０４は、第２のヒンジ付き蓋１２２を少なくとも部分的に固定する。別の実施形態では、キット８０は、第１のヒンジ付き蓋１０４が第２のヒンジ付き蓋１２２よりも先に閉じられ、第２のヒンジ付き蓋１２２により第１のヒンジ付き蓋１０４を少なくとも部分的に固定するように構成してもよい。さらに別の実施形態では、第１のヒンジ付き蓋１０４及び第２のヒンジ付き蓋１２２は各々、容器８２の一部を閉じ、容器８２の全長Ｌ及び／または全幅Ｗに沿った所定位置で交わる。例えば、第１のヒンジ付き蓋１０４及び第２のヒンジ付き蓋１２２は、容器８２の全長Ｌのほぼ中央で交わる。このような実施形態では、第１のヒンジ付き蓋１０４及び第２のヒンジ付き蓋１２２の一方が、第１のヒンジ付き蓋１０４及び第２のヒンジ付き蓋１２２の他方と重なり合ってもよい。例えば、図示の実施形態では、第１のヒンジ付き蓋１０４は、キット８０が閉位置にあるときに、第２のヒンジ付き蓋１２２と重なり合う。別の実施形態では、第１のヒンジ付き蓋１０４及び第２のヒンジ付き蓋１２２は、互いに重なり合わず、それらの縁部１２４において交わる。この場合、第１のヒンジ付き蓋１０４及び第２のヒンジ付き蓋１２２は、それらの端部同士を突き合わせる態様で配置したときに（例えば、容器８２が閉位置にあるときに）、容器８２の長さ全長Ｌと略同一の長さを有する。さらに、第１のヒンジ付き蓋１０４及び第２のヒンジ付き蓋１２２の一方または両方は、容器８２を確実に閉じるために、第１のヒンジ付き蓋１０４及び第２のヒンジ付き蓋１２２の他方と共に使用可能な閉鎖機構１２６（例えば、ラッチ、ロック、タイ、接着剤、フックアンドループ型ファスナ）を有し得る。
【００３４】
特定の実施形態では、キット８０は、外面８８、第１の外部アクセス面８４、または第２の外部アクセス面１２０のうちの少なくとも１つに恒久的にまたは選択的に結合されたミラー１２３を有する。この場合、ミラー１２３は、瘻孔清掃用アクセサリ８６（例えば、図４及び図５を参照）を使用して清掃処置を実施するために、キット８０のユーザを補助することができる。より詳細には、ミラー１２３は、とりわけ患者が瘻孔部位を見ることが困難な場合に、患者が清掃処置を視認することを可能にする。
【００３５】
次に図３を参照すると、キット８０が閉位置にあるときの一実施形態が示されている。より詳細には、図３に示すキット８０では、第１の外部アクセス面８４及び第２の外部アクセス面１２０は、開口部９４を塞ぐために閉じられている。例えば、第１のヒンジ付き蓋１０４及び第２のヒンジ付き蓋１２２は、容器８２の内部へのアクセスを防止するために閉じられている。さらに、第２のヒンジ付き蓋１２２を第１のヒンジ付き蓋１０４の上に重ねて閉じることによって、ポーチ１１６を外部からのアクセスから保護したり、ポーチ１１６内に収容された瘻孔清掃用アクセサリ８６がポーチ１１６から脱落するのを防止したりすることができることを理解されたい。なお、別の実施形態では、第２のヒンジ付き蓋１２２は、ポーチ１１６を部分的にのみ保護する。例えば、ポーチ１１６は、第２のヒンジ付き蓋１２２の縁部１２４を部分的に越えて延在する。さらに、ポーチ１１６は、キット８０の閉位置において完全に視認できるように配置してもよい。例えば、ポーチ１１６は、第２のヒンジ付き蓋１２２によって覆われたり塞がれたりしないように、第２のヒンジ付き蓋１２２の縁部１２４を越えた位置に配置される。なお、別の実施形態では、ポーチ１１６は、第２のヒンジ付き蓋１２２の内側面１１２に固定され、これにより、第１のヒンジ付き蓋１０４及び第２のヒンジ付き蓋１２２を閉じたときにポーチを保護することができる。
【００３６】
キット８０の一実施形態では、外面８８及び／または第１の外部アクセス面８４の各々は、容器８２の内容物（収容物）が外部から見えないようにするために、光不透過性を有する。特定の一実施形態では、第２の外部アクセス面１２０は、光不透過性を有する。キット８０のユーザ及び／または患者は、キット８０の内容物を他人に見られたくないと思っているかもしれないことを理解されたい。したがって、不透明な瘻孔清掃用キット８０は、瘻孔清掃用アクセサリ８６の保管中及び／または運搬中に、ユーザ及び／または患者のプライバシーを守るのに役立つ。別の実施形態では、外面８８、第１の外部アクセス面８４、及び／または第２の外部アクセス面１２０の各々は、キットの目的が分からないようにするために、ファッショナブルなデザインを有する。例えば、キット８０の外側面は、キット８０の目的を示すようなブランド及び／またはロゴを含まない。さらに、キット８０は、閉じたときに、内容物の目的が分からないように、かつ、デザイン及び色を使用してユーザの個人的自由裁量の維持を補助するように構成され得る。
【００３７】
次に図４を参照すると、容器８２が複数の瘻孔清掃用アクセサリ８６を収容した状態のキット８０の一実施形態が示されている。図４のキット８０は、実質的に、図２のキット８０と同一または同様に構成されている。例えば、キット８０は、１以上の区画１００、蓋区画１１４、及びポーチ１１６を有する。明確にするために省略したが、図４のキット８０は、ミラー１２３も有し得る。より詳細には、図４に示すキット８０では、個別の区画１００の各々は、複数の瘻孔清掃用アクセサリ８６のうちの少なくとも１つを収容するように構成される。さらに、蓋区画１１４及びポーチ１１６は各々、複数の瘻孔清掃用アクセサリ８６のうちの少なくとも１つを収容するように構成される。一実施形態では、複数の瘻孔清掃用アクセサリ８６のうちの少なくとも１つは、１以上の手袋、ドレープ、清浄液、１以上の清浄液と共に使用可能なワイプ、スワブ、瘻孔パッド、またはトラベルパックを含み得る。なお、別の実施形態では、より多い数またはより少ない数の瘻孔清掃用アクセサリ８６がキット８０と共に使用され得る。さらに、キット８０は、例示的な瘻孔清掃用アクセサリ８６の一部を含まず、他の瘻孔清掃用アクセサリ８６を含んでもよい。特定の一実施形態では、複数の瘻孔清掃用アクセサリ８６は各々、１以上の手袋、ドレープ、清浄液、１以上の清浄液と共に使用可能なワイプ、スワブ、瘻孔パッド、またはトラベルパックを含み得る。さらに、ポーチ１１６のキャビティは、少なくとも１つのドレープを収容するように構成され得る。
【００３８】
複数の瘻孔清掃用アクセサリ８６の各々は、個々の目的のために使用され、瘻孔を清掃するために特定の順序で使用することを意図している。例えば、手袋１２６は、清掃処置中に、ユーザが不注意で、瘻孔を細菌、汚物、デブリ、感染症などに曝露させるのを防止するのに役立つ。同様に、ドレープ１２８は、清掃処置の実施中に他の瘻孔清掃用アクセサリ８６を置くための比較的清潔で乾燥した表面を提供する。これにより、使い捨て式のドレープ１２８は、瘻孔への感染のリスクを低減することができる。さらに、ドレープ１２８は、清掃処置中に、使用済みの瘻孔清掃用アクセサリ８６を置くための便利なレセプタクル（容器）を提供することができる。例えば、ドレープ１２８は、使用済みの瘻孔清掃用アクセサリ８６を収容するための内部キャビティを画定することができ、これにより、図５に示す清掃処置などの清掃処置の完了後に、使い捨て式の瘻孔清掃用アクセサリ８６の全てを容易に廃棄することができる。
【００３９】
清浄液１３０は、汚物、デブリ、体液／生体物質、及び／または異物を、消毒したり瘻孔から除去したりすることができる。清浄液１３０は、水と、１以上の清掃剤及び／または消毒剤とを含み得る。ワイプ１３２は、清浄液１３０と共に使用することができ、瘻孔の清掃／消毒を補助する。ワイプ１３２は、既知の医療用ワイプ、ガーゼ、または、瘻孔の清掃に適した同様の物質を含み得る。スワブ１３４はまた、瘻孔の清掃／消毒を補助するために清浄液１３０と共に使用することができる。例えば、スワブ１３４は、ワイプ１３２ではアクセスできないか、または適切に清掃することが難しい小さな領域を清掃するのに使用することができる。清浄液１３０、ワイプ１３２、及び／またはスワブ１３４は、瘻孔と共に使用可能な医療機器を清掃するためにも使用できることを理解されたい。例えば、瘻孔清掃用アクセサリ８６は、図１の栄養チューブ５０を清掃するために使用することができる。一例として、スワブ１３４は、医療機器の皮膚または瘻孔と接触する領域を清掃するために使用することができる。さらに、別の実施形態では、医療機器は、別の瘻孔清掃用アクセサリ８６及び／または追加の瘻孔清掃用アクセサリ８６を使用して清掃してもよい。このような追加の瘻孔清掃用アクセサリ８６は、キット８０内に収容してもよいし、及び／または、瘻孔自体を清掃するための瘻孔清掃用アクセサリ８６とは別に収容してもよいことを理解されたい。
【００４０】
さらに、瘻孔パッド１３６は、瘻孔を清潔で乾燥した状態に維持するのを助けるために、栄養チューブ５０（例えば、図１参照）などの医療機器に適用され得る。例えば、瘻孔パッド１３６は、栄養チューブ５０の外部ボルスタ５８を受容するように構成されたキャビティを有する。さらに、瘻孔パッド１３６は、栄養チューブ５０を瘻孔内に挿入したときに、栄養チューブ５０と患者の皮膚との間で少なくとも部分的に、栄養チューブ５０の外部ボルスタ５８の基部７４の下面７８の下側に配置されるウィッキング層を有する。このウィッキング層は、瘻孔、及び／または、瘻孔周囲の患者の皮膚から水分をウィッキングして除去することができる。瘻孔から水分を除去することにより、瘻孔部位の感染、発赤、及び疼痛を軽減または回避することができる。瘻孔パッド１３６はまた、栄養チューブ５０を瘻孔に挿入したときに、栄養チューブ５０の外部ボルスタ５８の基部７４の上面７６の上側に配置される吸収層を有する。この吸収層は、ウィッキング層によって瘻孔部位から除去された水分を保持することができる。別の実施形態では、キット８０は、他の医療機器、または、栄養チューブ５０の他の構成要素と共に使用可能な瘻孔パッド１３６を有し得ることを理解されたい。例えば、瘻孔パッド１３６は、より多い数またはより少ない数の構成要素を有し、ウィッキング層、吸収層、及び／または、外部ボルスタ５８を受容するように構成されたキャビティを有していなくてもよい。
【００４１】
トラベルパック１３８は、手袋１２６、ワイプ１３２（ドライタイプ、または清浄液１３０と共に使用するタイプ）、別個の清浄液１３０、スワブ１３４、及び／または瘻孔パッド１３６の単回使用供給を含み得る。このようなトラベルパック１３８は、大きなキットの輸送が困難、不便、及び／または不可能である場合に、ユーザ及び／または患者が便利に旅行するために供給され得る。
【００４２】
キット８０のさらなる実施形態では、複数の瘻孔清掃用アクセサリ８６の各々は、各瘻孔清掃用アクセサリ８６の規定された供給、例えば少なくとも３０日間の供給を含み得る。例えば、ユーザは、例えば毎月などの所定の間隔で、各瘻孔清掃用アクセサリ８６の３０日分の供給を受け取るサブスクリプションを購入する。なお、別の実施形態では、キット８０は、任意の所望の長さの期間、例えば、３０日を超える期間、例えば、２ヶ月、３ヶ月、またはそれよりも長い期間での瘻孔清掃用アクセサリ８６の供給を含み得る。別の実施形態では、キット８０は、各瘻孔清掃用アクセサリ８６の、３０日未満の期間の供給を含み得る。容器８２、個別の区画１００、蓋区画１１４、及び／またはポーチ１１６は、互いに異なる期間にわたって、瘻孔清掃用アクセサリ８６の所望の供給量をほぼ収容できるようなサイズに形成され得ることを理解されたい。例えば、個別のキット８０は、瘻孔清掃用アクセサリ８６を供給するように構成され得る。この場合、キット８０は、個別のサイズ（小、中、大など）を規定し得る。さらに、キット８０は、他の瘻孔清掃用アクセサリ８６よりも少ない数のトラベルパック１３８を有し得ることを理解されたい。例えば、複数のトラベルパック１３８によって、３０日分の供給を含むトラベルパック１３８を構成してもよい。
【００４３】
引き続き図４を参照して、外面８８、第１の外部アクセス面８４、及び第２の外部アクセス面１２０のうちの少なくとも１つは、複数の瘻孔清掃用アクセサリ８６の各々を瘻孔の清掃に使用する順序を示すインストラクション１４０及び表示（indication）を含み得る。例えば、図示の実施形態では、インストラクション１４０は、第２の外部アクセス面１２０の内側面１４２に含まれ得る。これにより、複数の瘻孔清掃用アクセサリ８６の各々を、瘻孔を清掃するために順々に使用することができる。インストラクション１４０は、瘻孔清掃用アクセサリ８６の使用方法及び使用順序を示す文字表示及び／またはグラフィック表示１４２を含み得ることを理解されたい。また、グラフィック表示１４２を含むインストラクション１４０は、様々な言語を話すユーザが、インストラクション１４０の翻訳を必要することなく、キット８０を使用することを可能にすることを理解されたい。特定の一実施形態では、さらにドレープ１２８が、複数の瘻孔清掃用アクセサリ８６の各々を瘻孔の清掃に使用する順序を示すインストラクション１４０及び表示を含み得る。
【００４４】
さらに別の実施形態では、個別の区画１００、蓋区画１１４、及び／またはポーチ１１６の各々は、それらの各々に対応する瘻孔清掃用アクセサリ８６を瘻孔の清掃に使用する順で順々に印付けされる。例えば、個別の区画１００、蓋区画１１４、及びポーチ１１６のうちの１以上は、区画１００、蓋区画１１４、及び／またはポーチ１１６の各々に隣接する、１以上の仕切り９８、外面８８、蓋仕切り１１０、第１の外部アクセス面８４、及び／または第２の外部アクセス面１２０にマークされた標識１４４を含み得る。例えば、区画１００、蓋区画１１４、及び／またはポーチ１１６には、標識１４４としての英数字記号（例えば、「１、２、３」または「Ａ、Ｂ、Ｃ」）が順々にマークされる。別の実施形態では、区画１００、蓋区画１１４、及び／またはポーチ１１６にマークされた標識１４４は、色分けされる。さらに別の実施形態では、標識１４４は、各瘻孔清掃用アクセサリ８６を使用する順序を示すために使用される任意の記号を含み得る。インストラクション１４０は、標識１４４と連携して、瘻孔清掃用アクセサリ８６を使用する順序及び流れを決定するのを助けることができる。したがって、インストラクション１４０は、瘻孔清掃用アクセサリ８６の各々に関連付けられた標識１４４に対応するインストラクション１４０の各ステップについての標識１４４を含み得る。例えば、インストラクション１４０の標識１４４は、区画１００、蓋区画１１４、及び／またはポーチ１１６の各々の標識１４４に対応する色を用いて、瘻孔清掃用アクセサリ８６の使用順を示すことができる。特定の区画１００、蓋区画１１４、及び関連する瘻孔清掃用アクセサリ８６は、１つの英数字記号及び／または色コード記号を共有できることを理解されたい。例えば、一緒に使用されるように構成された瘻孔清掃用アクセサリ８６は、それらを所定の清掃手順で使用するために、単一の標識１４４による指定を共有することができる（例えば、清浄液１３０、ワイプ１３２、及び／またはスワブ１３４は、単一の英数字記号及び／または色コード記号を含み得る）。
【００４５】
別の実施形態では、外面８８、第１の外部アクセス面８４、または第２の外部アクセス面１２０のうちの少なくとも１つは、ユーザが複数の瘻孔清掃用アクセサリ８６のうちの少なくとも１つの使用が成功したことをマークできるようにするために、コンプライアンスチェック手段１４６を含む。例えば、ユーザは、複数の瘻孔清掃用アクセサリ８６の各々の使用が成功したことをマークする。特定の実施形態では、ユーザは、各瘻孔清掃用アクセサリ８６の使用に対応する箇所１４８を、（例えば、ペンまたは鉛筆で）毎日マークすることができる。特定の実施形態では、ユーザは、毎日の全ての清掃処置の完了に対応する箇所１４８をマークすることができる。別の実施形態では、コンプライアンスチェック手段１４６は、複数の瘻孔清掃用アクセサリ８６のうちの少なくとも１つの使用が成功した後に、そのことに対応する箇所１４８をマークするために、複数のシールまたは穿孔パンチのうちの少なくとも一方を含む。特定の別の実施形態では、コンプライアンスチェック手段１４６は、ホワイトボード部分（dry-erase portion）、または同様の部分を含む。これにより、ユーザは、例えば、瘻孔清掃用アクセサリ８６の３０日分の供給の終了時などにおいて、キット８０及び関連する瘻孔清掃用アクセサリ８６の使用が成功したことを示すマークを消去することができる。
【００４６】
少なくとも一実施形態では、コンプライアンスチェック手段１４６は交換可能である。例えば、新しいコンプライアンスチェック手段１４６が、瘻孔清掃用アクセサリ８６の３０日分の供給毎に、例えば、３０日分の瘻孔清掃用アクセサリ８６を配達するサブスクリプションの出荷毎に提供される。なお、コンプライアンスチェック手段１４６に含まれる期間は、任意の他の適切な期間であってもよいことを理解されたい。例えば、コンプライアンスチェック手段１４６は、１週間、２週間、６週間、２ヶ月、６０日、３ヶ月、９０日、または任意の他の適切な期間に対応するマーク可能な箇所１４８を含み得る。
【００４７】
次に図５を参照すると、本開示の一態様に係る、瘻孔を清掃する方法（２００）の一実施形態が示されている。具体的には、図５は、瘻孔清掃用アクセサリを収容するように各々構成された、複数の個別の区画を画定するキットを使用する方法を示す。例えば、本方法（２００）は、図２〜５を参照して説明したキット８０と共に、及び／または図１の栄養チューブ５０のような医療機器を清掃するために用いることができる。別の実施形態では、本方法（２００）は、キット８０の任意の構成要素と共に、及び／または別の医療機器または栄養チューブ５０の別の構成要素と共に用いることができることを理解されたい。さらに、本方法（２００）は、より多い数またはより少ない数のステップを含み得る。また、本方法（２００）は、インストラクション１４０、及び、インストラクション１４０に含まれ、区画１００、蓋区画１１４、及びポーチ１１６を指定するのに使用される関連する標識１４４の順序及び流れを反映していることを理解されたい。
【００４８】
本方法（２００）は、第１の区画から手袋を取り出し、その手袋をユーザの手に装着するステップ（２０２）を含む。本方法（２００）はまた、第２の区画からドレープを取り出し、そのドレープを作業面として配置するステップ（２０４）を含む。本方法（２００）はまた、第３の区画から清浄液を取り出し、その清浄液を瘻孔及び／または瘻孔周囲の患者の皮膚領域に塗布するステップ（２０６）を含む。本方法（２００）はまた、第４の区画からワイプを取り出し、そのワイプ及び清浄液を使用して、瘻孔及び／または瘻孔周囲の患者の皮膚領域を清掃及び／または乾燥させるステップ（２０８）を含む。本方法（２００）はまた、第５の区画からスワブを取り出し、そのスワブを使用して、瘻孔及び／または瘻孔周囲の患者の皮膚領域を清掃及び／または乾燥させるステップ（２１０）を含む。本方法（２００）はまた、第６の区画から瘻孔パッドを取り出し、その瘻孔パッドを、瘻孔と共に使用可能な医療機器に適用するステップ（２１２）を含む。上記のステップ２０６〜２１０は、瘻孔自体の清掃に関して一般的に説明したが、本方法（２００）の各ステップは、瘻孔清掃用アクセサリ８６を使用して瘻孔を清掃する場合と概ね同様に、栄養チューブ５０などの医療機器を清掃するために用いることができることを理解されたい。
【００４９】
一実施形態では、本方法（２００）は、上記の各ステップのうちの少なくとも１つのステップが完了したことを、コンプライアンスチェック手段にマークするステップ（２１４）をさらに含む。例えば、ユーザは、本方法の各ステップの完了をマークすることができる。さらに、本方法（２００）は、本明細書に記載された任意の追加の特徴をさらに含み得ることを理解されたい。
【００５０】
本明細書は、実施例を用いて、最良の実施の形態（ベストモード）を含む本発明の内容を開示し、かつ本発明を当業者が実施（任意の装置またはシステムの作製及び使用、並びに組み込まれた任意の方法の実施を含む）することを可能にしている。本発明の特許される技術範囲は、特許請求の範囲の請求項の記載によって定義され、当業者が想到可能な別の実施形態も含まれ得る。そのような別の実施形態は、各請求項の文言と相違しない構成要素を含む場合、または、各請求項の文言とは実質的に相違しない均等な構成要素を含む場合、その請求項の範囲内に含まれるものとする。
【図１】
2021534892.tif 000003
【図２】
2021534892.tif 000004
【図３】
2021534892.tif 000005
【図４】
2021534892.tif 000006
【図５】
2021534892.tif 000007
【国際調査報告】
2021534892.tif 000008
2021534892.tif 000009
2021534892.tif 000010
2021534892.tif 000011